(57)【要約】【課題】  畜舎内のダニの生息密度を正確に把握できる装置及びその方法を提供すること。【解決手段】  木製板が組み合わされてなるダニ捕獲器であって、２枚の木製板が０．５〜３ｍｍの空間を隔てて平行に配置されてなるダニ捕獲器に捕獲されるダニの数を測定することで畜舎内のダニの生息密度を正確に把握できる。したがって、本発明は木製板が組み合わされてなるダニ捕獲器であって、２枚の木製板が０．５〜３ｍｍの空間を隔てて平行に配置されてなるダニ捕獲器、及び該捕獲器を畜舎内に設置することを特徴とするダニ捕獲方法を提供するものである。【選択図】  なし【特許請求の範囲】
【請求項１】
２枚の木製板が空間を隔てて平行に配置されてなり、該２枚の木製板の間の空間の間隔が０．５〜３ｍｍであることを特徴とするダニ捕獲器。
【請求項２】
２枚の木製板が空間を隔てて平行に配置されてなり、該２枚の木製板の間の空間の間隔が０．５〜３ｍｍとなるように、該２枚の木製板が固定部材によって固定されてなるダニ捕獲器。
【請求項３】
固定部材が、２枚の木製板の間の空間の間隔が小さくならないように保つスペーサ部材と、２枚の木製板の間の空間の間隔が大きくならないように保つ離反防止部材とで構成された固定部材である請求項２記載のダニ捕獲器。
【請求項４】
２枚の木製板が、略同じ面積の長方形の２枚の木製板である請求項１〜３いずれか１項記載のダニ捕獲器。
【請求項５】
２枚の木製板が、面積５０〜５０００ｃｍ２の２枚の木製板である請求項１〜４いずれか１項記載のダニ捕獲器。
【請求項６】
請求項１〜５いずれか１項記載のダニ捕獲器を畜舎内に設置することを特徴とするダニ捕獲方法。
【請求項７】
畜舎が、鶏舎である請求項６記載のダニ捕獲方法。
【請求項８】
ダニが、ワクモである請求項６又は請求項７記載のダニ捕獲方法。
【発明の詳細な説明】
【技術分野】
【０００１】
本発明は、ダニ捕獲器及び該ダニ捕獲器の用途に関する。
【背景技術】
【０００２】
家畜に被害を与えるダニの中には、ワクモのように昼間は畜舎の隅などに隠れて生息し、夜間に家畜に寄生して被害を与えるものがある（例えば、特許文献１参照）。
【特許文献１】実開平５−６８２６０号公報
【発明の開示】
【発明が解決しようとする課題】
【０００３】
このようなダニは、個体が小さく肉眼で観察し難いこともあいまって、畜舎内でダニがどの程度の密度で生息しているかを把握することが必ずしも容易ではなかった。このため、家畜に被害を与えるダニを防除するために畜舎内に薬剤を処理しようとしても、薬剤を処理する時期の判断が困難で、ダニがほとんど生息していない畜舎に薬剤を処理して薬剤が無駄になったり、ダニを防除する薬剤の処理時期が遅くなりすぎて家畜に対するダニの被害が広がってしまうといったことがあった。
したがって、鶏舎等の家畜を飼育する畜舎でダニを適切に防除するためには、畜舎内のダニの生息密度を把握することが必要である。
【課題を解決するための手段】
【０００４】
本発明者等は２枚の木製板を０．５〜３ｍｍの空間を隔てて平行に配置した装置を畜舎内に設置することで家畜に寄生するダニを捕獲することができ、当該装置に捕獲されたダニの数から畜舎内のダニの生息密度を把握できることから、本発明に至ったものである。
【０００５】
即ち、本発明は以下のものである。
１．２枚の木製板が空間を隔てて平行に配置されてなり、該２枚の木製板の間の空間の間隔が０．５〜３ｍｍであることを特徴とするダニ捕獲器。
２．２枚の木製板が空間を隔てて平行に配置されてなり、該２枚の木製板の間の空間の間隔が０．５〜３ｍｍとなるように、該２枚の木製板が固定部材によって固定されてなるダニ捕獲器。
３．固定部材が、２枚の木製板の間の空間の間隔が小さくならないように保つスペーサ部材と、２枚の木製板の間の空間の間隔が大きくならないように保つ離反防止部材とで構成された固定部材である２．記載のダニ捕獲器。
４．２枚の木製板が、略同じ面積の長方形の２枚の木製板である１．〜３．いずれか１項記載のダニ捕獲器。
５．２枚の木製板が、面積５０〜５０００ｃｍ２の２枚の木製板である１．〜４．いずれか１項記載のダニ捕獲器。
６．１．〜５．いずれか１項記載のダニ捕獲器を畜舎内に設置することを特徴とするダニ捕獲方法。
７．畜舎が、鶏舎である６．記載のダニ捕獲方法。
８．ダニが、ワクモである６．又は７．記載のダニ捕獲方法。
【発明の効果】
【０００６】
本発明のダニ捕獲器は畜舎内のダニを効率的に捕獲できる。
【発明を実施するための最良の形態】
【０００７】
本発明のダニ捕獲器は、２枚の木製板が空間を隔てて平行に配置されたなり、該２枚の木製板の間の空間の間隔が０．５〜３ｍｍであることを特徴とするものである。
本発明のダニ捕獲器に用いられる木製板は、単板でも合板でもよく、その形状は通常長方形である。なお、この場合に長方形には正方形も含まれ、通常は略同じ面積の２枚の木製板が用いられる。
また、該木製板の面積は、本発明のダニ捕獲器の設置場所の大きさやダニの捕獲効率から、通常５０〜５０００ｃｍ２程度であり、厚さは通常１〜１０ｍｍ程度である。
【０００８】
本発明のダニ捕獲器は、２枚の木製板によって形成される空間にダニが自由に出入りできるよう、該空間部は開空間となっている。本発明のダニ捕獲器が略同じ面積の２枚の長方形の木製板で構成されている場合には、少なくとも前記木製板の短辺長の２倍の長さの部分が開放された状態となっている。
本発明のダニ捕獲器は、通常２枚の木製板の間の空間の間隔が０．５〜３ｍｍとなるように、該２枚の木製板が固定部材によって固定されてなるものである。
【０００９】
上記の２枚の木製板が固定部材によって固定された態様としては、例えば以下の態様が挙げられる。
（１）２枚の木製板の間に高さ０．５〜３ｍｍ、底面積０．２〜１ｃｍ２程度の柱状の固定部材（材質としては例えば木製のもの。）を複数個（４〜１０個程度）挟み、前記２枚の木製板と前記固定部材とが接着剤等により固定された態様。
柱状の固定部材としては、具体的には例えば、適切な大きさの木片を用いることができる。この場合に柱状の固定部材は、２枚の板の間に０．５〜３ｍｍの空間が保たれ、２枚の板が平行になるように適切な間隔をあけて配置される。即ち、柱状の固定部材の配置形態としては、例えば固定部材が長方形の板の四隅に配置された形態；固定部材が長方形の対向する２辺に各辺あたり両端及び真中付近の３個、全体として６個配置された形態；前記の両形態のいずれかに、さらに固定部材が長方形の対角線の交点付近に１個配置された形態が挙げられる。（例えば、図２参照）
【００１０】
（２）一方の板に２枚の木製板の間の空間が小さくならないように保つスペーサ部材を複数個（４〜１０個程度）固定し、該スペーサ部材をはさんで、２枚の板を積層し、さらに２枚の板が離反防止部材によって固定された態様。
この場合にスペーサ部材は、２枚の板を積層し該２枚の板を離反防止部材によって固定された際に、２枚の板の間に０．５〜３ｍｍの空間が保たれ、２枚の板が平行になるように適切な間隔をあけて配置される。即ち、スペーサ部材の配置形態としては、例えばスペーサ部材が長方形の板の四隅に配置された形態；スペーサ部材が長方形の対向する２辺に各辺あたり両端及び真中付近の３個、全体として６個配置された形態；前記の両形態のいずれかに、さらにスペーサ部材が長方形の対角線の交点付近に１個配置された形態が挙げられる。
【００１１】
一方の板にスペーサ部材を固定したものとしては、例えば一方の板に高さ０．５〜３ｍｍ、底面積０．２〜１ｃｍ２程度の柱状のスペーサ部材を複数個（４〜１０個程度）接着剤により固定したもの、及び一方の板にホチキスの針を複数個（４〜１０個程度）打ち込んだものが挙げられる。後者の一方の板にホチキスの針を複数個打ち込んだものにおいては、ホチキスはフラットクリンチ型と呼ばれる針が根元で１８０°折れ曲がるタイプではなく、クリンチ部が曲線をもってメガネ型に折れ曲がるタイプのものが用いられる。
クリンチ部が曲線をもってメガネ型に折れ曲がるタイプのホチキスを用いることにより、ホチキスの針が打ち込まれた板の板面から打ち込まれたホチキスの針のクリンチ部が飛び出した状態となる。このため、２枚の板を該クリンチ部を挟むように積層し、離反防止部材で固定した際に、該クリンチ部が２枚の板の間の空間が小さくならないように保つスペーサ部材としての役割を果たす。
したがって、クリンチ部の突起は高さ０．５〜３ｍｍの高さとなるように調整される。
【００１２】
２枚の木製板の間隔が大きくならないように保つ離反防止部材としては、例えば、ダブルクリップ、目玉クリップ、洗濯バサミ等の様に２枚の木製板を挟み、バネの付勢力により２枚の木製板が離反しないようにする部材、及びガムテープの様に粘着力により２枚の木製板が離反しないようにする部材が挙げられる。
離反防止部材としてバネの付勢力により２枚の木製板が離反しないようにする部材を用いる場合は、例えば２枚の板の四隅に１個ずつ当該部材を取り付けることにより、本発明のダニ捕獲器とすることができる。また、離反防止部材として粘着力により２枚の木製板が離反しないようにする部材を用いる場合は、例えば木製板の対向する２辺に当該部材を取り付けることにより、本発明のダニ捕獲器とすることができる。（例えば、図３、図４参照）
【００１３】
（３）木製板を挟むことができる凹部と２枚の木製板の間隔を０．５〜３ｍｍの間隔に保つことができる凸部とを有する断面Ｅ字型の固定部材を複数個（２〜６個程度）用いて固定された態様。
この場合の断面Ｅ字型の固定部材の材質は、例えば木製、樹脂（ポリプロピレン、ポリスチレン等）製のものが挙げられる。
この場合に断面Ｅ字型の固定部材は、２枚の板の間に０．５〜３ｍｍの空間が保たれ、２枚の板が平行になるように適切な間隔をあけて配置される。即ち、断面Ｅ字型の固定部材の配置形態としては、例えば固定部材が長方形の板の四隅に配置された形態；固定部材が長方形の対向する２辺に各辺あたり両端及び真中付近の３個、全体として６個配置された形態；及び長方形の板の一辺とほぼ同じ長さの縦長を有する断面Ｅ字型の固定部材２個を長方形の対向する２辺にそれぞれ１個ずつ配置された形態が挙げられる。（例えば、図５参照）
【００１４】
（４）２枚の木製板の同じ移置に孔を開け、前記２枚の木製板の孔に中間に膨らみを有する棒状のスペーサ部材の両端を挿入し、木製板から突出したスペーサ部材の先端部に木製板に開けられた孔より大きい固定部材を取り付けた態様。
この場合に、中間に膨らみを有する棒状のスペーサ部材は、２枚の板の間に０．５〜３ｍｍの空間が保たれるような膨らみを有するものが用いられる。また、２枚の木製板に開けられる孔の移置は、２枚の板が平行になるように適切な間隔となるように決定される。即ち、孔の配置形態としては、例えば長方形の木製板の四隅に配置された形態；固定部材が長方形の対向する２辺に各辺あたり両端及び真中付近の３個、全体として６個配置された形態；前記の両形態のいずれかに、さらに固定部材が長方形の対角線の交点付近に１個配置された形態が挙げられる。
この態様においてスペーサ部材及び固定部材としては、例えばボルトと３個のナットから構成されているものが挙げられる。即ち、中間移置にナットが止められたボルトがスペーサ部材として働く。そして、孔を開けた２枚の木製板の孔に、前記中間移置にナットが止められたボルトの両端をそれぞれ挿入し、木製板から突出したボルトの先端部にそれぞれ別のナットを固定するものである。（例えば、図６参照）
【００１５】
本発明のダニ捕獲器において、２枚の木製板の間は、通常２枚の木製板を０．５〜３ｍｍの間隔を隔てて平行に固定するための固定部材以外は何も存在しない空間となっている。
また、本発明のダニ捕獲器には、３枚以上の木製板が各々０．５〜３ｍｍの間隔で平行に配置されてなるものも含まれる。
【００１６】
本発明のダニ捕獲器は、例えば畜舎（鶏舎、豚舎、牛舎等）内に設置することにより、ダニを捕獲することができる。
本発明のダニ捕獲器によって捕獲できるダニとしては、例えばワクモ（Dermanyssus gallinae）が挙げられる。
【００１７】
本発明のダニ捕獲器は、畜舎内に例えば０．５〜５０ｍ２あたりに１個の割合で設置される。本発明のダニ捕獲器の設置場所としては、例えば畜舎の床上（畜舎の隅の床上等）が挙げられる。また、本発明のダニ捕獲器を鶏舎において使用する場合には、本発明のダニ捕獲器の設置方法としては、具体的には例えば、鶏飼育ケージ積載用ラックの支柱に固定する方法；鶏舎の天井に取り付ける方法；鶏飼育ケージ積載用ラックと前記ラックの上に設置された鶏飼育ケージとの間に挿入する方法；鶏飼育ケージ積載用ラックの最上部に設置する方法；及び鶏飼育ケージ積載用ラックの下部に設置する方法が挙げられる。
本発明のダニ捕獲器の設置期間は、通常５〜４０日間である。
【００１８】
畜舎内に一定期間設置された本発明のダニ捕獲器は、回収して２枚の木製板を分離することにより捕獲されたダニの数を確認することができる。
【００１９】
このようにして、本発明のダニ捕獲器によって捕獲されたダニの数は畜舎内に生息するダニの数と相関するものであり、畜舎内のダニの生息密度を把握することできる。
【００２０】
さらに、本発明のダニ捕獲器によって把握された畜舎内のダニの生息密度を参考にして、畜舎内のダニを防除を行うための薬剤を畜舎に処理すれば、ダニがほとんど生息していない畜舎に薬剤を処理して薬剤が無駄になったり、ダニを防除する薬剤の処理時期が遅くなりすぎて家畜に対するダニの被害が広がってしまうといったことを防止することができる。
ダニを防除するための薬剤を処理する時期は、飼育されている家畜の種類、気温、湿度、その他の諸条件により変化しうるが、目安としては、例えば畜舎内に２０ｍ２あたり１個の本発明の捕獲器を７日間設置した際に、１００頭以上のダニが捕獲された場合に通常ダニを防除するための薬剤を処理する必要があると判断される。
【００２１】
また、本発明のダニ捕獲器には殺ダニ化合物を保持させることができる。本発明のダニ捕獲器に殺ダニ化合物を保持させる形態としては、例えば本発明のダニ捕獲器を構成する２枚の木製板の一方又は両方に殺ダニ化合物を含浸させた形態が挙げられる。この場合の殺ダニ化合物の保持量は、本発明のダニ捕獲器を構成する木製板１ｍ２あたり通常０．１〜１００００ｍｇである。
本発明のダニ捕獲器に殺ダニ化合物を保持させることにより、本発明のダニ捕獲器にダニが捕獲されると共に、ダニの防除までなされることを期待できる。
【実施例】
【００２２】
以下、本発明を実施例によりさらに詳しく説明するが、本発明はこれらの例に限定されるものではない。
【００２３】
実施例１
厚さ３ｍｍ、１５ｃｍ四方の正方形の合板（ラワン、シナ等の広葉樹の材質でできた薄い板が積層された合板）の対向する２辺の両端にホチキスの針（マックス株式会社ホチキス針Ｎｏ３−３Ｍ、足の長さ：６ｍｍ）を打ち込んだ。このホチキスの針を打ち込んだ合板と、他の厚さ３ｍｍ、１５ｃｍ四方の正方形の合板とをホチキスの針のクリンチ部が挟まれるように積層し、対向する２辺をガムテープで係止して、本発明のダニ捕獲器を得た。得られたダニ捕獲器は、２枚の合板が２ｍｍの空間を隔てて平行に配置されているものであった。（図２参照）
【００２４】
実施例２
厚さ３ｍｍ、１５ｃｍ四方の正方形の合板（ラワン、シナ等の広葉樹の材質でできた薄い板が積層された合板）の対向する２辺の両端にホチキスの針（マックス株式会社ホチキス針Ｎｏ３−３Ｍ、足の長さ：６ｍｍ）を打ち込んだものを２枚用意した。この２枚のホチキスの針を打ち込んだ合板の他に、厚さ３ｍｍ、１５ｃｍ四方の正方形の合板を用意した。ホチキスの針が打ちこまれていない合板を、ホチキスの針が打ち込まれた２枚の合板で挟んで３枚の合板を積層した。この際にホチキスの針が打ち込まれた合板のホチキスの針のクリンチ部は、ホチキスの針が打ち込まれていない合板の方向となっている。３枚の合板を積層した後、対向する２辺をガムテープで係止して、本発明のダニ捕獲器を得た。得られたダニ捕獲器は、３枚の合板がそれぞれ２ｍｍの空間を隔てて平行に配置されているものであった。
【００２５】
参考例
厚さ３ｍｍ、１５ｃｍ四方の正方形の合板（ラワン、シナ等の広葉樹の材質でできた薄い板が積層された合板）２枚を、二枚の合板の間の空間が１０ｍｍとなるように四隅に油粘土を挟んで積層した。これの対向する２辺をガムテープで係止してダニ捕獲器を得た。得られたダニ捕獲器は、２枚の合板が１０ｍｍの空間を隔てて平行に配置されているものであった。
【００２６】
次に、本発明のダニ捕獲器のダニ捕獲能力について、試験例に示す。
試験例
約３６ｍ２の鶏舎内に２段式鶏飼育ケージ積載用ラックを設置し、該鶏飼育ケージ積載用ラックの上段と下段とにそれぞれ鶏６羽を入れた鶏飼育ケージを５個ずつ設置した（上段３０羽、下段３０羽、計６０羽）。この６０羽の鶏を、鶏飼育用ケージ内で、鶏の通常の飼育条件で飼育した。該鶏舎内にワクモを約１０００匹を放ち、２１日間鶏の飼育を継続した。次いで、試験用のダニ捕獲器を、鶏飼育ケージ積載用ラックの上段とその上に設置された鶏飼育用ケージとの間、及び鶏飼育ケージ積載用ラックの下段とその上に設置された鶏飼育用ケージとの間に各１個ずづ水平に挿入し、さらに７日間鶏の飼育を継続した。その後、試験用のダニ捕獲器を開いて捕獲されているワクモの数を数えた（ワクモを放ってから２８日後の捕獲数）。
ワクモの数を数えた後、開いたダニ捕獲器を再びガムテープで閉じ、ダニ捕獲器を元の場所に戻して、さらに２８日間鶏を飼育した。その後、試験用のダニ捕獲器を開いて捕獲されているワクモの数を数えた（ワクモを放ってから５６日後の捕獲数）。
試験を行ったダニ捕獲器に捕獲されたワクモの数（ワクモを放ってから２８日後及びワクモを放ってから５６日後）について、結果を表１に示す。
【００２７】
【表１】
2006067810.tif 000002
表中、ダニ捕獲器に捕獲されたダニの数は以下の記号で示す。
Ａ：捕獲されたダニの数が１００匹以上
Ｂ：捕獲されたダニの数が５１〜１００匹
Ｃ：捕獲されたダニの数が１１〜５０匹
Ｄ：捕獲されたダニの数が１〜１０匹
Ｅ：捕獲されたダニの数が０匹
【産業上の利用可能性】
【００２８】
本発明のダニ捕獲器は畜舎内のダニを効率的に捕獲できる。そして、本発明のダニ捕獲器に捕獲されたダニの数からダニの生息密度を把握することできるので、このダニの生息密度からダニ防除薬剤の適切な処理時期を決めることができる。
【図面の簡単な説明】
【００２９】
【図１】本発明のダニ捕獲器の１形態の斜視図
【図２】本発明のダニ捕獲器の一形態の断面模式図
【図３】本発明のダニ捕獲器の一形態の断面模式図
【図４】本発明のダニ捕獲器の一形態の断面模式図
【図５】本発明のダニ捕獲器の一形態の断面模式図
【図６】本発明のダニ捕獲器の一形態の断面模式図
【符号の説明】
【００３０】
１…合板
２…木片
３…空間
４…ホチキス針
５…ガムテープ
６…樹脂製固定部材
７…ナット
８…ボルト
【図１】
2006067810.tif 000003
【図２】
2006067810.tif 000004
【図３】
2006067810.tif 000005
【図４】
2006067810.tif 000006
【図５】
2006067810.tif 000007
【図６】
2006067810.tif 000008